(57)【要約】【課題】自然石を素材とすることで花器としての選択の幅を拡げることができるとともに、複数本の草花を挿すことができる内部空洞部を有する、自然石を用いた花立ておよびその製造方法を提供する。【解決手段】花立てとして用いる任意の形状の自然石１に、草花を差し入れる口２を形成し、内部には、草花の茎の部分と水が入る空洞部３が形成され、口２よりも広い断面形状となっている。自然石１の底部には、空洞部３の開口部を塞ぐ板材４を接着する。このような構成とすることにより、細口の花びんのように口２の部分で草花が絞られ、口２の外に広がる生け方ができ、また水も多く溜めることができる。外観は自然石であるので、一つ一つ異なった形状や柄の模様とマッチした生け花が可能となる。【選択図】図１
2007275429.tif 000002
【特許請求の範囲】
【請求項１】
任意の形状の自然石を素材とし、草花を挿す口は小さく、内部の空洞部は前記口よりも広いことを特徴とする、自然石を用いた花立て。
【請求項２】
任意の形状の自然石の底部から、自然石の大きさに応じた大きな穴ないし空洞部を形成し、口になる部分は任意の小さな穴を開け、底部の開口部を金属板、ＦＲＰ板、石板等の板材でふさぎ、接着することを特徴とする、自然石を用いた花立ての製造方法。
【請求項３】
穴開け加工をする際に、石膏の型に自然石を裏返しにして入れて石膏を充填し、石膏が固まった時点で空洞形成や穴開け加工をすることを特徴とする、請求項２記載の自然石を用いた花立ての製造方法。
【発明の詳細な説明】
【技術分野】
【０００１】
本発明は、自然石の外観を残し、これを花立てとして利用する技術に関する。
【背景技術】
【０００２】
草花を観賞用に生ける器として、花立て（花びん、花生け）が用いられている。花立ての材質としては、陶器、磁器、金属、ガラス、竹、木、プラスチック等があり、それぞれ生ける草花にマッチした材質やデザインの花立てが選ばれ、使用されている。
【０００３】
このような人工的な花立ても、選び方や生け方によっては草花を引き立てさせるが、人工的ではない自然のままの素材を使用すれば、もともと自然の中に育成する草花が映えることも考えられる。
【０００４】
このような観点から、自然石を使用した花びんが提案されている（例えば、特許文献１および２参照）。
【０００５】
特許文献１に記載されたものは、多孔質の自然石に、上下に貫通した縦孔を設けると共に、縦孔の最下位を剣山、またはスポンジやオアシスが収まる空隙とした観賞用植栽石であり、水を張った水盆にこれを浸して使用するものである。
【０００６】
特許文献２に記載されたものは、自然石に、花などを挿す所定深さの穴を開けた花びんである。
【０００７】
【特許文献１】特開２００４−４１０１３号公報（請求項２、図２）
【特許文献２】実開昭６３−１７９８６７号公報（請求項１、図１，図２）
【発明の開示】
【発明が解決しようとする課題】
【０００８】
特許文献１に記載された観賞用植栽石は、多孔質の自然石に縦孔を貫通させて縦孔の最下位に剣山等を入れ、水を張った水盆に浸して使用するので、水盆を別に必要とし、単独では花器として使用できない。また、自然石の材質が軽石等の多孔質であるので、重厚感や高級感に乏しいという問題がある。
【０００９】
特許文献２に記載された花びんは、花を挿したり水を入れたりする所定深さの穴を、自然石に上から開けているので、穴の口の大きさよりも大きな径の穴を開けることができない。したがって、一輪挿し程度のものしか作ることができず、花器としての選択範囲の幅が狭い。
【００１０】
一方、従来より作られている一般的な陶磁器製の花びんは、口は小さく、内部の空洞部は大きいので、複数本の草花を挿すことができ、草花の生け方にいろいろな趣向をこらすことができる。
【００１１】
そこで本発明は、自然石を素材とすることで花器としての選択の幅を拡げることができるとともに、複数本の草花を挿すことができる内部空洞部を有する、自然石を用いた花立ておよびその製造方法を提供することを目的とする。
【課題を解決するための手段】
【００１２】
前記課題を解決するため、本発明の自然石を用いた花立ては、任意の形状の自然石を素材とし、草花を挿す口は小さく、内部の空洞部は前記口よりも広いことを特徴とする。
このような構成とすることにより、細口の花びんのように口の部分で草花が絞られ、口の外に広がる生け方ができ、また水も多く溜めることができる。外観は自然石であるので、一つ一つ異なった形状や柄の模様とマッチした生け花が可能となる。
【００１３】
本発明の自然石を用いた花立ての製造方法は、任意の形状の自然石の底部から、自然石の大きさに応じた大きな穴ないし空洞部を形成し、口になる部分は任意の小さな穴を開け、底部の開口部を金属板、ＦＲＰ板、石板等の板材でふさぎ、接着することを特徴とする。
このような加工方法を行うことにより、本発明の花立てを製造することができる。
【００１４】
なお、穴開け加工をする際に、石膏の型に自然石を裏返しにして入れて石膏を充填し、石膏が固まった時点で空洞部形成や穴開け加工をすることにより、形状も種類も異なる自然石の固定と加工時における自然石の割れや欠けを防止することができる。
【発明の効果】
【００１５】
本発明によれば、自然石を素材とすることで花器としての選択の幅を拡げることができるとともに、複数本の草花を挿すことができる内部空洞部を有することで草花の生け方に趣向をこらすことのできる、自然石を用いた花立てが得られる。
【発明を実施するための最良の形態】
【００１６】
以下、本発明の実施の形態を、図面を用いて説明する。
図１は本発明の実施の形態１に係る花立ての使用状態を示す正面図、図２はその断面図、図３は本発明の実施の形態２に係る花立ての断面図、図４は本実施の形態１に係る花立ての製造工程を示す説明図、図５は石膏の型に入った状態の自然石の斜視図、図６は本発明の実施の形態３に係る花立ての使用状態を示す斜視図、図７は本発明の実施の形態４に係る花立ての斜視図である。
【００１７】
図１，図２に示すように、本実施の形態１においては、花立てとして用いる任意の形状の自然石１に、草花を差し入れる口２が形成され、内部には、草花の茎の部分と水が入る空洞部３が形成されている。この空洞部３は、口２よりも広い断面形状となっている。自然石１の底部には、空洞部３の開口部を塞ぐ板材４が接着されている。板材４としては、金属板、ＦＲＰ板、石板等を用いることができ、接着剤で自然石１の底部の開口部の周囲の面に、水密状態に接着する。図中５は、花立てを置く台である。
空洞部３としては、加工方法により、図２に示すように自然石１の外形から所定の厚みになるように外形に合わせて形成するか、図３の実施の形態２に示すように円形の穴の組み合わせで形成することができる。
【００１８】
次に、図２に示す断面の花立ての製造方法の一例を、図４を用いて示す。
（１）まず、図４（ａ）に示すように、任意の形状、大きさの自然石１を、使用時とは上下が逆になるように型枠１０の中に入れ、支持物１１を用いて所定の位置、姿勢に置く。その後、型枠１０の中に石膏１２を流し込む。このとき、自然石１の底部となる面を平面研削するために、研削部分が石膏１２の上面から浮く状態としておく。あるいは、予め自然石１の底部を平面切削加工しておいて、その平面になった底部が石膏１２の上面と一致するようにしてもよい。なお、自然石１の表面に離型剤を塗って、加工後の石膏からの分離を容易にすることが好ましい。
【００１９】
（２）石膏１２が固まった時点で、図４（ｂ）に示すように、砥石１３等の工具を用いて自然石１の内部を切削加工する。このときの状態を図５に示す。
（３）自然石１の空洞部３となる内周部の加工が終わったら、図４（ｃ）に示すように、ドリル１４等を用いて口２を開ける。
（４）加工が終わったら、図４（ｄ）に示すように、型枠１０を分解して石膏１２と自然石１を取り出し、石膏１２を割って加工後の自然石１のみとする。
（５）最後に、図４（ｅ）に示すように、所定の形状に加工した板材４を自然石１の底部に接着し、花立てを完成させる。
【００２０】
以上のような加工を、ＣＮＣ（Computerized numerical Control）研削盤等の自動工作機で行うには、次のような手順とすることができる。
（１）加工する自然石の外形の形状を、三次元座標測定器を用いて測定し、コントローラに入力する。
（２）口２になる部分の位置および口径と、空洞部３の形状をコントローラに指示する。このとき、先に測定しておいた自然石１の外形の形状の座標と空洞部３の形状の座標との計算により、空洞部３を形成した後の自然石１の厚みが、基準値以上に薄くならないように制限を設ける。この作業は、モニターの二次元、三次元画像を見ながら確認することができる。
（３）石膏型に入れた自然石を、ＣＮＣ研削盤等の自動工作機の基準位置に合わせて位置決め、固定し、自動加工を行う。
【００２１】
実施の形態１，２においては、草花を挿す口２を１つ設けた例を示したが、図６の実施の形態３に示すように、口２を２つまたはそれ以上形成することもできる。このように、口２の位置および高さ、角度を変化させて設けることにより、自然石の形状や地肌、模様と相まって、草花を各段に美しく見えるような生け方ができる。製造方法については、実施の形態１と同様であるので、説明を省略する。
【００２２】
図７は本発明の実施の形態４を示すものであり、自然石１に亀裂６がある場合は、亀裂６に沿って強制的に押し広げて自然石１を分割し、その分割されたものの内部を加工して口２および空洞部３の半分ずつを形成する。そうすれば、加工の手間が大幅に軽減される。加工後、分割した部分を接着すれば、見た目には接着されたものとは見分けがつかず、違和感はない。
【産業上の利用可能性】
【００２３】
本発明は、花器としての選択の幅を拡げることができるとともに、複数本の草花を挿すことができる内部空洞部を有することで草花の生け方に趣向をこらすことのできる、自然石を用いた花立てとして利用することができる。
【図面の簡単な説明】
【００２４】
【図１】本発明の実施の形態１に係る花立ての使用状態を示す正面図である。
【図２】本発明の実施の形態１に係る花立ての断面図である。
【図３】本発明の実施の形態２に係る花立ての断面図である。
【図４】本実施の形態１に係る花立ての製造工程を示す説明図である。
【図５】本発明の実施の形態１において、石膏の型に入った状態の自然石の斜視図である。
【図６】本発明の実施の形態３に係る花立ての使用状態を示す斜視図である。
【図７】本発明の実施の形態４に係る花立ての斜視図である。
【符号の説明】
【００２５】
１  自然石
２  口
３  空洞部
４  板材
５  台
６  亀裂
１０  型枠
１１  支持物
１２  石膏
１３  砥石
１４  ドリル
【図１】
2007275429.tif 000003
【図２】
2007275429.tif 000004
【図３】
2007275429.tif 000005
【図４】
2007275429.tif 000006
【図５】
2007275429.tif 000007
【図６】
2007275429.tif 000008
【図７】
2007275429.tif 000009